(57)【要約】      （修正有）【課題】全体が柔軟である上、その表面が平滑でマウスの移動を滑らかにさせることができ、そして、より正確にマウス移動量を検出させることができるマウスパッドを提供する。【解決手段】シリコーンからなったシリコーン層２１と、透光ゲル２２１と影像認識粒子２２２との混合物からなり、且つ、前記シリコーン層２１の上面に敷設されているゲル層２２とを備えていることを特徴としてマウスパッド２を構成する。【選択図】図２
0003157464.tif 000002
【実用新案登録請求の範囲】
【請求項１】
シリコーンからなったシリコーン層と、
透光ゲルと影像認識粒子との混合物からなり、且つ、前記シリコーン層の上面に敷設されているゲル層とを備えていることを特徴とするマウスパッド。
【請求項２】
前記影像認識粒子の前記透光ゲルに対する体積比は、０．００１〜０．０１であることを特徴とする請求項１に記載のマウスパッド。
【請求項３】
前記ゲル層の厚みは４０μｍ〜７０μｍであり、前記影像認識粒子の粒子径は２０μｍ〜３５μｍであることを特徴とする請求項１または請求項２に記載のマウスパッド。
【請求項４】
全体の厚みは０．５ｍｍ以下であることを特徴とする請求項１ないし３の何れか１項に記載のマウスパッド。
【請求項５】
前記影像認識粒子は、銀粒子とチタン粒子からなる群れより選ばれた少なくとも一種類の粒子であることを特徴とする請求項１ないし４の何れか１項に記載のマウスパッド。
【請求項６】
前記影像認識粒子は、更に、セラミック粒子が含まれていることを特徴とする請求項５に記載のマウスパッド。
【請求項７】
前記ゲル層の上面に、抗菌層が更に敷設されていることを特徴とする請求項１ないし６の何れか１項に記載のマウスパッド。
【考案の詳細な説明】
【技術分野】
【０００１】
本考案は、マウスパッドに関し、特に、光学式マウスの使用に適するマウスパッドに関する。
【背景技術】
【０００２】
光学式マウスは、ＬＥＤで直下の平面を照射し、その反射を底面に配置されているセンサーで読み取って移動量を検出する仕組みになっている。
光学式マウスの移動量を検出するメカニズムは、作業環境に大きく影響されるので、一般的にはマウスパッドに光学式マウスを載せて使用されている。
【０００３】
従来のマウスパッドには、ＰＥ樹脂により作られ、表面に細かい凹凸が形成されていることでＬＥＤが細かく反射して、マウスの移動量検出に有益なものがある。
しかしながら、このようなマウスパッドは、構成材がＰＥ樹脂であるため、硬く、使用心地が悪い上、その表面における凹凸により、パッド上のマウスを滑らかに移動させることができず、マウスの使用に差支えが生じる。
【考案の概要】
【考案が解決しようとする課題】
【０００４】
上記問題点に鑑みて、本考案は、その全体が柔軟である上、その表面が平滑でマウスを滑らかに移動させることができ、そして、より正確にマウス移動量を検出させることができるマウスパッドを提供することを目的とする。
【課題を解決するための手段】
【０００５】
上記目的を達成するため、本考案は、シリコーンからなったシリコーン層と、透光ゲルと影像認識粒子との混合物からなり、且つ、前記シリコーン層の上面に敷設されているゲル層とを備えていることを特徴とするマウスパッドを提供する。
本考案の実施形態としては、前記影像認識粒子の前記透光ゲルに対する体積比が、０．００１〜０．０１であるものも挙げられる。
また、前記ゲル層の厚みは４０μｍ〜７０μｍであり、前記影像認識粒子の粒子径は２０μｍ〜３５μｍであるものも挙げられる。
【考案の効果】
【０００６】
前記構成による本考案のマウスパッドは、ベースが柔軟なシリコーン層からなっており、また、移動量の検出に作用する光反射が、表面層であるゲル層内に埋もれている影像認識粒子によるので、表面に凹凸がなく、平滑になっており、マウスを滑らかに移動させることができ、より正確に移動量を検出させることができる。
【図面の簡単な説明】
【０００７】
【図１】本考案のマウスパッドの使用を説明する斜視図である。
【図２】図１のマウスパッドの構成を示す縦断面図である。
【考案を実施するための形態】
【０００８】
以下、図１及び図２を参照しながら、本実施例のマウスパッドを説明する。
【実施例】
【０００９】
図１及び図２に示すように、本実施例のマウスパッド２は、シリコーンからなったシリコーン層２１と、透光ゲル２２１と影像認識粒子２２２との混合物からなり、且つ、シリコーン層２１の上面に敷設されているゲル層２２と、ゲル層２２の上面に更に敷設されている抗菌層２３とを備えている。なお、本実施例のマウスパッド２は、全体の厚みが０．５ｍｍ以下である。
【００１０】
ゲル層２２における透光ゲル２２１は、ポリウレタン（ＰＵ）からなり透光性を有する上、ゲル層２２の表面を平滑化させることができる。
ゲル層２２の厚みは、４０μｍ〜７０μｍであることが好ましい。４０μｍ以下である場合、影像認識粒子２２２がゲル層２２から突出し、ゲル層２２の表面を凹凸にさせるおそれがあり、７０μｍ以上である場合は、透光性が下がり、コストも増加してしまう。
【００１１】
ゲル層２２における影像認識粒子２２２の透光ゲル２２１に対する体積比は、０．００１〜０．０１であることが好ましい。０．００１以下である場合、影像認識粒子２２２が少な過ぎるので、影像認識粒子２２２による反射光をマウスの底面にあるセンサーが効率的に読み取れず、０．０１以上である場合、影像認識粒子２２２が多すぎるので、影像認識粒子２２２がゲル層２２から突出し、ゲル層２２の表面を凹凸にさせるおそれがある。本実施例のマウスパッド２では、ゲル層２２における影像認識粒子２２２の透光ゲル２２１に対する体積比が０．０３である。
【００１２】
ゲル層２２における影像認識粒子２２２は、銀粒子２２３とチタン粒子２２４からなる群れより選ばれた少なくとも一種類の粒子であるが、セラミック粒子２２５が含まれても良い。本実施例における影像認識粒子２２２は、銀粒子２２３とチタン粒子２２４とセラミック粒子２２５との混合物である。
【００１３】
また、影像認識粒子２２２の粒子径は、２０μｍ〜３５μｍであることが好ましい。２０μｍ以下である場合、影像認識粒子２２２が小さすぎるので、影像認識粒子２２２による反射光をマウスの底面にあるセンサーが効率的に読み取れず、３５μｍ以上である場合、影像認識粒子２２２が大きすぎるので、ゲル層２２から突出し、ゲル層２２の表面を凹凸にさせるおそれがある。
【００１４】
さらに、影像認識粒子２２２は、表面に分散剤としてのポリエチレン類又はアクリル酸類が施されたものが好ましい。これは、影像認識粒子２２２が高い極性を有するため、極性の低いポリウレタンからなった透光ゲル２２１に均一に分布させることが困難であるので、その表面に分散剤を施すことで、分散性を良くし、透光ゲル２２１中に均一に分布することができるからである。
【００１５】
そして、本実施例のマウスパッド２は、シリコーン層２１を備えており、柔軟性があり、滑止め効果もある上、曲げられても破裂しにくい。
更に、本考案のマウスパッドのシリコーン層に、着色トナー及び／または艶調整材料による処理を施すことによって見栄えを良くすることができる。艶調整材料としては、貝殻粉、マイカ（ｍｉｃａ）、二酸化チタンなどが挙げられる。着色トナーを使用することで、色を増やしたり変えたりでき、また、艶調整材料を使用することで、艶を調整することができる。
【００１６】
抗菌層２３は、銀ナノ粒子で形成されているので、抗菌効果がある。本実施例のマウスパッド２における抗菌層２３は、ゲル層２２の表面に敷設されているが、その厚さは僅か０．１２μｍであるので、マウスのＬＥＤによる光を遮断することはなく、マウスの移動量の検出に与える影響は非常に小さい。
【００１７】
上記構成により、本実施例のマウスパッド２は、全体が柔軟であり、且つ、その表面が平滑であるので、マウスを滑らかに移動させることができる。
また、本実施例のマウスパッド２は、載せられる光学式マウスがＬＥＤの光をゲル層２２に照射すると、その光がゲル層２２に含まれている影像認識粒子２２２によって細かく反射されるので、マウスの移動量を正確に検出させることができる。
【００１８】
次に、本実施例のマウスパッド２の製造方法を説明する。
本実施例のマウスパッド２の製造方法は、シリコーンを用いてシリコーン層２１を形成する工程と、表面に分散剤が施されている影像認識粒子２２２を透光ゲル２２１に入れて充分に攪拌する工程と、コーティングロッド（ｃｏａｔｉｎｇ  ｒｏｄ）塗布処理で前述した透光ゲル２２１をシリコーン層２１の上面に塗布し、２００℃で１００分間乾燥させ、紫外線硬化させてゲル層２２にする工程と、スパッタリング法や真空蒸着法、パルスレーザー蒸着法などによって銀ナノ粒子をゲル層２２の上面にコーティングして抗菌層２３にする工程とを具える。
【００１９】
上記製造方法による本実施例のマウスパッド２は、その表面が平滑であるので、マウスを滑らかに移動させることができ、また、マウスがパッド上の何処に移動してもマウスからのＬＥＤの光をゲル層２２における影像認識粒子２２２で反射することができ、正確に移動量を検出させることができる。
【産業上の利用可能性】
【００２０】
叙上により、本考案のマウスパッドは、全体が柔軟になっているので、使用心地が良い上、曲げられても破裂しにくく、また、表面に凹凸がなくて平滑となっているので、マウスを滑らかに移動させることができ、従来より正確に移動量を検出させることができる。
【符号の説明】
【００２１】
２    マウスパッド
２１  シリコーン層
２２  ゲル層
２２１透光ゲル
２２２影像認識粒子
２２３銀粒子
２２４チタン粒子
２２５セラミック粒子
２３  抗菌層
【図１】
0003157464.tif 000003
【図２】
0003157464.tif 000004